(57)【要約】【課題】重要な測定データを見落とすことなく、より確実に把握できるハンディな放射線測定装置を提供する。【解決手段】線量測定機構１２で測定された線量を示す線量データ及び位置時刻特定機構１３で特定された位置を示す位置データとを対にした測定データを記憶する測定データ記憶部１０２と、測定データ記憶部１０２に記憶されている測定データのうちから、所定期間内に又は所定地域内で測定され、なおかつ、線量データの値が所定以上のもの又は値が大きい所定番目までのものを抽出する測定データ処理部１０３と、前記測定データ処理部１０３で抽出された測定データを出力する測定データ出力部とを設けるようにした。【選択図】  図４
2013140023.tif 000002
【特許請求の範囲】
【請求項１】
携帯可能な放射線測定装置であって、
外部から飛来する放射線の量を測定する線量測定機構と、
該放射線量を測定した位置及び／又は時刻を特定する位置時刻特定機構と、
前記線量測定機構で測定された線量を示す線量データ、並びに前記位置時刻特定機構で特定された位置を示す位置データ及び／又は測定された時刻を示す時刻データを対にした測定データを記憶する測定データ記憶部と、
前記測定データ記憶部に記憶されている測定データのうちから、所定期間内に又は所定地域内で測定され、なおかつ、線量データの値が所定以上のもの又は値が大きい所定番目までのものを抽出する測定データ処理部と、
前記測定データ処理部で抽出された測定データを出力する測定データ出力部とを具備していることを特徴とする放射線測定装置。
【請求項２】
画面に地図を表示するとともに、前記測定データ出力部から出力された測定データに基づいて、放射線量に係る表示を前記地図における測定した位置に出力する画面制御部をさらに具備したものであることを特徴とする請求項１記載の放射線測定装置。
【請求項３】
外部から飛来する放射線の量を測定する線量測定機構、該放射線量を測定した位置及び／又は時刻を特定する位置時刻特定機構、前記線量測定機構で測定された線量を示す線量データ並びに前記位置時刻特定機構で特定された位置を示す位置データ及び／又は測定された時刻を示す時刻データを対にした測定データを記憶する測定データ記憶部、前記測定データ記憶部に記憶されている測定データのうちから、所定期間内に又は所定地域内で測定され、なおかつ、線量データの値が所定以上のもの又は値が大きい所定番目までのものを抽出する測定データ処理部、及び、前記測定データ処理部で抽出された測定データを送信する測定データ出力部を具備している携帯型の複数の放射線測定装置と、
前記測定データ出力部から送信されてきた測定データを受信するデータ受信部、前記データ受信部で受信した測定データを記憶するデータ記憶部、前記データ記憶部に記憶されている測定データのうちから、所定期間内に又は所定地域内で測定され、なおかつ、線量データの値が所定以上のもの又は値が大きい所定番目までのものを抽出するデータ処理部、前記データ処理部で抽出した測定データを送信するデータ送信部とを備えた情報処理装置とを具備し、
前記放射線測定装置が、前記情報処理装置から送信されてくる測定データを受信する測定データ受信部と、画面に地図を表示するとともに、前記測定データ受信部で受信した測定データに基づいて放射線量に係る表示を前記地図における測定した位置に出力する画面制御部をさらに具備したものであることを特徴とする放射線測定システム。
【請求項４】
前記位置時刻特定機構が、ＧＰＳ受信機を利用したものである請求項３記載の放射線測定システム。
【請求項５】
前記情報処理装置がＷＥＢサーバであり、前記放射線測定装置以外の端末機器に、インターネットを介して前記測定データを配信可能なものである請求項３又は４記載の放射線測定システム。
【発明の詳細な説明】
【技術分野】
【０００１】
本発明は、α線やγ線などの放射線を測定する放射線測定装置及び放射線測定システムに関するものである。
【背景技術】
【０００２】
広域に放射性物質が拡散した場合、放射性物質は、拡散中心から周囲に向かって徐々に薄まりながら拡がるのではなく、拡散中心から離れていても風向きや地形によっては放射性物質が多く蓄積される地域や場所が生じることが知られている。
【０００３】
近時では、放射線量がわずかな場所の違いで大きく異なり、放射線量が多い場所がホットスポットなどと称されるように、ピンポイントで存在することが判明しつつある。
【０００４】
そこで、先行文献に示されるように、ハンディタイプの放射線測定装置が販売されており、このようなものを用いて種々の箇所での放射線量を一般のユーザが測定し、ホットスポットを見つけるといったことも行われている。
【０００５】
しかし、当然のことながら、測定にあたっては、測定した放射線量と測定箇所、あるいは測定時刻とを紐付ける必要があり、測定箇所や測定回数が増えると、たとえ測定データをメモリに記憶させたとしても、表示等が煩雑になってホットスポットを見落とす可能性がでてくる。
【０００６】
また、例えば、放射線検出装置に通信機能を設けて、多数の放射線検出装置からの測定データをサーバに集約し、大領域のデータを作成する場合に、データ量が多くなりすぎるという不具合も生じ得る。
【先行技術文献】
【特許文献】
【０００７】
【特許文献１】特開2008-157846号公報
【特許文献２】特開平10-039035号公報
【発明の概要】
【発明が解決しようとする課題】
【０００８】
本発明はかかる課題を解決すべくなされたものであって、無駄な測定データを予め排除することによって、重要な測定データ（例えばホットスポットなど）を見落とすことなく、より確実に把握できるようにすべく図ったものである。
【課題を解決するための手段】
【０００９】
すなわち本発明に係る携帯型の放射線測定装置は、以下の構成要件を備えていることを特徴とする。
（１）外部から飛来する放射線の量を測定する線量測定機構。
（２）該放射線量を測定した位置を特定する位置時刻特定機構。
（３）前記線量測定機構で測定された線量を示す線量データ及び前記位置時刻特定機構で特定された位置を示す位置データとを対にした測定データを記憶する測定データ記憶部。
（４）前記測定データ記憶部に記憶されている測定データのうちから、所定期間内に又は所定地域内で測定され、なおかつ、線量データの値が所定以上のもの又は値が大きい所定番目までのものを抽出する測定データ処理部。
（５）前記測定データ処理部で抽出された測定データを出力する測定データ出力部。
【００１０】
このようなものであれば、ユーザが放射線測定装置を用いて放射線量測定を任意の場所で実施するだけで、自動的にその測定位置が検出され、放射線量とその測定位置とが蓄積されるので、ユーザに負担をかけることなく、放射線量の場所的な違いや時間的な変化等に係る情報を的確に取得して分析することが可能になる。さらに、その蓄積された測定データのうちから、所定期間内に又は所定地域内で測定され、なおかつ、線量データの値が所定以上のもの又は値が大きい所定番目までのものが抽出されるので、無駄な測定データを予め排除することができ、重要な測定データ（例えばホットスポットなど）を見落とすことなく、より確実に把握できるようになる。
【００１１】
ユーザの利便性や見易さに寄与するためには、画面に地図を表示するとともに、前記測定データ出力部から出力された測定データに基づいて放射線量に係る表示を前記地図における測定した位置に出力する画面制御部をさらに具備したものが望ましい。
【００１２】
より大規模に放射線量の測定を行うためには、携帯型の複数の放射線測定装置と、これら放射線測定装置に無線通信可能に接続された情報処理装置とを備えた放射線測定システムを構築することが好ましい。
このときの放射線測定装置は以下の構成要件を具備するものを挙げることができる。
【００１３】
（１）外部から飛来する放射線の量を測定する線量測定機構。
（２）該放射線量を測定した位置を特定する位置時刻特定機構。
（３）前記線量測定機構で測定された線量を示す線量データ及び前記位置時刻特定機構で特定された位置を示す位置データとを対にした測定データを記憶する測定データ記憶部。
（４）前記測定データ記憶部に記憶されている測定データのうちから、所定期間内に又は所定地域内で測定され、なおかつ、線量データの値が所定以上のもの又は値が大きい所定番目までのものを抽出する測定データ処理部。
（５）前記測定データ処理部で抽出された測定データを送信する測定データ出力部。
【００１４】
一方、情報処理装置としては、以下の構成要件を具備するものを挙げることができる。
（１）前記測定データ出力部から送信されてきた測定データを受信するデータ受信部。
（２）前記データ受信部で受信した測定データを記憶するデータ記憶部。
（３）前記データ記憶部に記憶されている測定データのうちから、所定期間内に又は所定地域内で測定され、なおかつ、線量データの値が所定以上のもの又は値が大きい所定番目までのものを抽出するデータ処理部。
（４）前記データ処理部で抽出した測定データを送信するデータ送信部。
【００１５】
そして、前記放射線測定装置がさらに以下の構成要件を備えておけばよい。
（１）前記情報処理装置から送信されてくる測定データを受信する測定データ受信部。
（２）画面に地図を表示するとともに、前記測定データ受信部で受信した測定データに基づいて放射線量に係る表示を前記地図における測定した位置に出力する画面制御部。
【００１６】
このようなものであれば、各放射線検出装置でフィルタがかけられた重要な測定データだけが情報処理装置に送信されて集められ、さらにこの情報処理装置において、集められた重要な測定データにフィルタがかけられるので、フィルタ作業を各放射線検出装置にいわば分散させることとなる。したがって、最小限の通信量で短時間の処理ができるうえ、より重要な測定データのみが抽出されるため、放射線検出装置の数が増大しても、システムに大きな負担をかけることがなく、放射線量の場所的な違いや時間的な変化等に係る情報を、従来では考えられない規模でかつ詳細に取得して分析することが可能になる。
具体的な態様としては、前記位置時刻特定機構がＧＰＳ受信機を利用したものを挙げることができる。
【００１７】
前記測定データに係る情報をリアルタイムで多くの人が知ることができるようにするには、前記情報処理装置がＷＥＢサーバであり、前記放射線測定装置以外の端末機器に、インターネットを介して前記測定データを配信可能なものであることが望ましい。
【発明の効果】
【００１８】
このように構成した本発明によれば、ユーザが放射線測定装置を用いて放射線量測定を任意の場所で実施するだけで、自動的にその測定位置が検出され、放射線量とその測定位置とが蓄積されるので、ユーザに負担をかけることなく、放射線量の場所的な違いや時間的な変化等に係る情報を的確に取得して分析することが可能になる。さらに、その蓄積された測定データのうちから、所定期間内に又は所定地域内で測定され、なおかつ、線量データの値が所定以上のもの又は値が大きい所定番目までのものが抽出されるので、無駄な測定データを予め排除することができ、重要な測定データ（例えばホットスポットなど）を見落とすことなく、より確実に把握できるようになる。
【図面の簡単な説明】
【００１９】
【図１】本発明の一実施形態における放射線測定システムの全体構成図。
【図２】同実施形態における放射線測定装置を示す外観図。
【図３】同実施形態における放射線測定装置のハードウェア構成を示す模式図。
【図４】同実施形態における放射線測定装置及び情報処理装置のソフトウェア構成を示す機能ブロック図。
【図５】同実施形態における放射線測定装置の初期画面を示す外観図。
【図６】同実施形態における画面表示例を示す画面構成図。
【発明を実施するための形態】
【００２０】
以下、本発明に係る放射線測定システムにつき図面を参照して説明する。
【００２１】
この放射線測定システム１００は、図１に示すように、各所の放射線量を測定できるとともに、それら測定した放射線量を統合的に分析・処理することが可能なものであって、携帯可能な放射線測定装置１と、該放射線測定装置１とインターネットを介して通信可能な情報処理装置２とを具備するものである。
【００２２】
まず放射線測定装置１から説明する。この放射線測定装置１は、図２、図３に示すように、ハードウェア的には、ケーシング１０と、このケーシング１０内に収容された線量測定機構１２、位置時刻特定機構１３、通信機構１４及び演算機構１５とを具備するものである。
【００２３】
ケーシング１０は、例えば片手で持つことができる程度の大きさの扁平な直方体状をなす樹脂製のものであり、その表面には液晶ディスプレイ１１が嵌め込まれている。このディスプレイ１１の画面上には、詳細は後述するが、放射線量や時刻、地図などが表示できるようにしてある。また、このディスプレイ１１はタッチパネル方式になっており、ユーザの入力手段も兼ねるものとなっている。
【００２４】
線量測定機構１２は、例えば、図示しないシンチレータを利用したものであって、外部から飛来したγ線などの放射線を捕らえて受光器やカウンタなどでその量を測定し、単位時間あたりの放射線量を示す線量データを出力するものである。なお、他の方式で放射線を測定するものでももちろん構わない。
【００２５】
位置時刻特定機構１３は、例えばＧＰＳ受信機を利用したものである。この位置時刻特定機構１３はＧＰＳ衛星からの信号を受信して該放射線測定装置１の位置を示す位置データ及び時刻を示す時刻データを出力する。なお、位置時刻特定機構１３は、ＧＰＳ受信機に限られず、その他の方式のものでも構わない。例えば、携帯電話などの地上基地局から電波を受信して位置を特定するものでもよいし、この放射線測定装置１を使っているユーザからの位置入力を受け付けて位置を特定し、又は測定装置１内に時計を設けたものでも構わない。
【００２６】
通信機構１４は、例えば携帯端末などと同様、電波信号によって携帯電話基地局などを介してインターネットにアクセスし、後述する情報処理装置２（サーバ）とデータの送受信を行うものである。
【００２７】
演算機構１５は、ＣＰＵやメモリ、Ａ／Ｄコンバータなどの電子回路で構成されたものであり、前記線量測定機構１２、位置時刻特定機構１３、通信機構１４等を制御しつつデータを処理するものである。
【００２８】
そして、かかる演算機構１５や前記線量測定機構１２、位置時刻特定機構１３、通信機構１４等が協働することにより、この放射線測定装置１が、ソフトウェア的には、図４に示すように、前記線量測定機構１２で測定された線量データとその測定時に前記位置時刻特定機構１３で特定された位置データ及び／又は時刻を示す時刻データとを対にしたデータである測定データを受け付ける測定データ受付部１０１、前記測定データを記憶する測定データ記憶部１０２、所定期間に又は所定地域内で測定された複数の測定データのうちから線量データの値が所定以上のもの又は値が大きい所定番目までのものを抽出するなどといった処理をするデータ処理部１０３、前記データ処理部１０３で抽出された測定データを前記情報処理装置２に送信したり、後述の画面制御部１０５に出力する測定データ出力部１０４、測定データを受け付けて画面に種々の態様で表示する画面制御部１０５、前記情報処理装置２から送信されてくる測定データを受信する測定データ受信部１０６等としての機能を発揮するように構成してある。
【００２９】
一方、情報処理装置２は、例えば、種々の端末機器とＨＴＴＰプロトコルによって通信する、いわゆるＷＥＢサーバであり、ここでは、前記放射線測定装置１も端末機器の一種として認識するように構成されている。
【００３０】
より具体的に説明すると、この情報処理装置２は、図４に示すように、各放射線測定装置１から送信されてきた測定データを受信するデータ受信部２０１、この測定データを記憶するデータ記憶部２０２、所定期間に又は所定地域内で測定された複数の測定データのうちから線量データの値が所定以上のもの又は値が大きい所定番目までのものを抽出するなどといった処理をするデータ処理部２０３、データ処理部２０３で処理した測定データを送信するデータ送信部２０４等としての機能を具備するものである。
【００３１】
次に、かかる構成の放射線測定システム１００の動作を説明する。ここでは、図１に示すように、複数の放射線測定装置１がシステム１００に含まれているとする。
【００３２】
放射線測定装置１の電源を入れると、前記画面制御部１０２が動作して、図５に示す初期画面がディスプレイ１１に表示される。この初期画面では、少なくとも測定モード、情報表示モード及び通信モードをユーザが選択できるように構成されている。
ここで、ユーザが測定モードを選ぶと、例えば図２に示すような画面に切り替わり、測定が開始される。
【００３３】
測定が終了すると、その旨と、放射線量、測定場所、測定時刻等とが画面上に表示される。そこで、ユーザが画面に表示されている確定ボタン１１ａを押すと、測定データが確定する、すなわち、測定データ記憶部１０２がその測定データを記憶する。なお、この測定データに、測定時の風向き、天気、温度、測定箇所を撮影した画像なども含んでよい。画像を含む場合は、この放射線測定装置１にカメラ機能を設ける必要がある。
【００３４】
一方、ユーザが図５に示す初期画面で情報表示モードを選択すると、データ処理部１０３が、データ記憶部１０２を参照して、所定期間内に又は所定地域内で測定された複数の測定データのうちから線量データの値が所定の閾値以上のもの又は値が大きい所定番目までのものを抽出する。なお、１時間以内や２時間以内に測定したデータのうち、線量が最大の測定データであったり、半径数ｋｍ以内に存在するデータのうち、最大の線量の測定データであったりなど、所定期間、所定地域、所定の閾値、所定番目といった抽出クエリは、予め決められた固定のものでも良いし、ユーザが適宜入力してその値を設定できるようにしてもよい。
そして、その抽出された測定データを測定データ出力部１０４が画面制御部１０５に出力する。
【００３５】
画面制御部１０５は、前記測定データを画面に表示するが、その測定データの表示に関しては、ユーザが種々の態様を選択することができ、その指示にしたがった画像を画面制御部１０２が出力する。
【００３６】
例えば、ユーザが地図表示を選択した場合、画面制御部１０２は、図６に示すように、ユーザが指定した地域や倍率の地図を画面に表示するとともに、測定データに基づいて放射線量を示す表示を前記地図における対応する位置に出力する。そのとき、測定場所の画像を表示するようにしても良い。また、地図ではなく表形式表示をユーザが選択した場合、画面制御部１０２は、図示しないが、放射線量と場所を表にして画面に出力する。
【００３７】
放射線量の表示は種々の態様が考えられる。例えば、放射線量は、図６では、数値とその数値に比例する大きさの円で表示しているが、数値を表示せず円のみでもよいし、同一の大きさの円や印にしておいて、放射線量をその値に応じた複数段階の色で塗りつぶすようにしてもよい。
【００３８】
上述した機能が、この放射線測定装置１をスタンドアローン的に用いる場合の機能であるが、一方で、この放射線測定装置１は、前記情報処理装置２と通信して、自身が蓄積している測定データを情報処理装置２に送信して蓄積させたり、他の放射線測定装置１による総合的な測定結果を受信して表示したりすることができる。
具体的に説明する。
測定データを情報処理装置２に送信する場合は、例えばユーザが、初期画面から通信モードを選択する。
【００３９】
そして、例えば、その通信モード画面で表示される送信ボタン（図示しない）が押されると、データ処理部１０３が、データ記憶部１０２を参照して、所定期間内に又は所定地域内で測定された複数の測定データのうちから線量データの値が所定の閾値以上のもの又は値が大きい所定番目までのものを抽出する。
そして、その抽出された測定データを測定データ出力部１０４が前記情報処理装置２に送信する。
【００４０】
このようにして、情報処理装置２に各放射線測定装置１からいろいろな場所、いろいろな時刻での、なおかつ各放射線測定装置１で選別された一定以上の線量を示す測定データが送信されてくる。
【００４１】
情報処理装置２では、図４に示すように、これら測定データを逐次、メモリの所定領域に設定したデータ記憶部２０２に格納する。このようにして、各放射線測定装置１で選別された一定以上の線量を示す測定データが、全てデータ記憶部２０２に格納される。
【００４２】
一方、ある放射線測定装置１において、他の放射線測定装置１による総合的な測定結果を受信して表示したい場合は、例えば前記通信モード画面で表示される受信ボタン（図示しない）をユーザが押せばよい。
【００４３】
そうすると、放射線測定装置１から情報処理装置２に対して、蓄積された測定データの送信要求信号が送られる。これを受信した情報処理装置２では、データ処理部２０３が、地域や期間、一定以上の放射線量のみなど、種々のフィルタをかけて、データ記憶部２０２から測定データを抽出する。この抽出クエリは、放射線測定装置１から指定することもできるし、予め定められた固定のものでもよい。
そして、データ送信部２０４が、前記データ処理部２０３で抽出された測定データを、要求のあった放射線測定装置１に送信する。
当該放射線測定装置１では、その測定データを測定データ受信部１０６が受信し、前記画面制御部１０５に出力する。
その後は前述同様、画面制御部１０５が種々の態様で、画面に測定データに係る情報を表示する。
【００４４】
なお、前記情報処理装置２は、ＷＥＢサーバなので、前記測定データを放射線測定装置１のみならず、図１に示すように、いわゆるパソコンや携帯電話など、インターネット接続されている種々の端末機器３に送信して表示させることもできるようにしてある。
【００４５】
しかして、このように構成した放射線測定装置１によれば、ユーザが放射線測定装置を用いて放射線量測定を任意の場所で実施するだけで、自動的にその測定位置が検出され、放射線量とその測定位置とが蓄積されるので、ユーザに負担をかけることなく、放射線量の場所的な違いや時間的な変化等に係る情報を的確に取得して分析することが可能になる。
【００４６】
さらに、その蓄積された測定データのうちから、所定期間内に又は所定地域内で測定され、なおかつ、線量データの値が所定以上のもの又は値が大きい所定番目までのものが抽出されるので、無駄な測定データを予め排除することができ、重要な測定データ（例えばホットスポットなど）を見落とすことなく、より確実に把握できるようになる。
【００４７】
また、システム全体として見た場合、各放射線検出装置１で１時間以内や２時間以内に測定したデータのうち線量が最大の測定データを抽出したり、半径数ｋｍ以内に存在するデータのうち最大の線量の測定データを抽出したりするといったフィルタがかけられた複数の重要な測定データだけが送信されて情報処理装置２に集められ、さらにこの情報処理装置２に集められた重要な測定データに上述同様のフィルタがかけられるので、フィルタ作業の一部を各放射線検出装置１にいわば分散させることとなる。したがって、最小限の通信量で短時間の処理ができるうえ、より重要な測定データのみが抽出されるため、この放射線測定装置１が普及してその数が増大したり、画像データが追加されて測定データ単体でのデータ量が大きくなっても、システム１００に大きな負担をかけることがなく、放射線量の場所的な違いや時間的な変化等に係る情報を、従来では考えられない規模でかつ詳細に取得して分析することが可能になる。
しかも、上述した効果は、ユーザに負担をかけたり、特別な調査チームを編成したりしなくても得られるので、費用や継続性に問題が生じることもない。
【００４８】
なお、本発明は前記実施形態に限られるものではない。
例えば、インターネットを介することなく、複数の放射線測定装置を、直接赤外線通信などで接続し、それらが有する測定データを共有するようにしてもよい。また、各放射線検出装置に記憶されている測定データをフィルタをかけることなく情報処理装置に送信してもよいし、逆に各放射線検出装置のみでフィルタをかけ、情報処理装置ではフィルタをかけずに各放射線検出装置に測定データを送信しても良い。
その他、本発明は前記実施形態に限られず、その趣旨を逸脱しない範囲で種々の変形が可能である。
【符号の説明】
【００４９】
１００・・・放射線測定システム
１・・・放射線測定装置
１２・・・線量測定機構
１３・・・位置時刻特定機構
１０２・・・測定データ記憶部
１０３・・・測定データ処理部
１０４・・・測定データ出力部
１０５・・・画面制御部
１０６・・・測定データ受信部
２・・・情報処理装置
２０１・・・データ受信部
２０２・・・データ記憶部
２０３・・・データ処理部
２０４・・・データ送信部
【図１】
2013140023.tif 000003
【図２】
2013140023.tif 000004
【図３】
2013140023.tif 000005
【図４】
2013140023.tif 000006
【図５】
2013140023.tif 000007
【図６】
2013140023.tif 000008